(57)【特許請求の範囲】
【請求項１】
映像源から投射された映像光を反射して観察者側へ向けて映像を表示し、かつ、透明性を有するスクリーンであって、
該スクリーンの厚み方向の背面側の面に、映像光が入射する第１の面とこれに対向する第２の面とを有する単位光学形状が複数配列されて形成され、光透過性を有する光学形状層と、
前記単位光学形状の少なくとも前記第１の面の一部に形成され、入射した光の少なくとも一部を反射し、その他の光を透過する機能を有する反射層と、
該スクリーンの厚み方向において前記反射層よりも背面側に、光透過性を有し、前記単位光学形状の間の谷部を充填するように積層された第２光学形状層と、
を備え、
光を拡散する機能を有する拡散粒子を含有する光拡散層を備えておらず、
前記単位光学形状は、その表面に微細かつ不規則な凹凸形状を有し、
前記反射層の少なくとも前記単位光学形状側の面は、前記凹凸形状に対応した凹凸形状を有し、
前記反射層を透過した映像光の少なくとも一部を吸収又は拡散する抜け光抑制層を、該スクリーンの厚み方向において前記反射層よりも背面側に備え、
前記第２光学形状層の屈折率は、前記光学形状層の屈折率と、同等である、又は、同等とみなせる程度の小さい屈折率差を有し、
前記抜け光抑制層は、
前記反射層を透過した映像光の少なくとも一部を吸収する機能を有する層であり、
光を透過する光透過部と光を吸収する光吸収部とを備え、該スクリーンの厚み方向に平行な断面において、前記光透過部及び前記光吸収部がスクリーン面に沿って交互に配置され、前記断面における前記光吸収部の断面形状が矩形形状又は楔形形状であり、
投射された映像光を反射して映像を表示する反射型のスクリーンであること、
を特徴とするスクリーン。
【請求項２】
映像源から投射された映像光を反射して観察者側へ向けて映像を表示し、かつ、透明性を有するスクリーンであって、
該スクリーンの厚み方向の背面側の面に、映像光が入射する第１の面とこれに対向する第２の面とを有する単位光学形状が複数配列されて形成され、光透過性を有する光学形状層と、
前記単位光学形状の少なくとも前記第１の面の一部に形成され、入射した光の少なくとも一部を反射し、その他の光を透過する機能を有する反射層と、
該スクリーンの厚み方向において前記反射層よりも背面側に、光透過性を有し、前記単位光学形状の間の谷部を充填するように積層された第２光学形状層と、
を備え、
光を拡散する機能を有する拡散粒子を含有する光拡散層を備えておらず、
前記単位光学形状は、その表面に微細かつ不規則な凹凸形状を有し、
前記反射層の少なくとも前記単位光学形状側の面は、前記凹凸形状に対応した凹凸形状を有し、
前記反射層を透過した映像光の少なくとも一部を吸収又は拡散する抜け光抑制層を、該スクリーンの厚み方向において前記反射層よりも背面側に備え、
前記第２光学形状層の屈折率は、前記光学形状層の屈折率と、同等である、又は、同等とみなせる程度の小さい屈折率差を有し、
前記抜け光抑制層は、
前記反射層を透過した映像光の少なくとも一部を吸収する機能を有する層であり、
光を透過する光透過部と光を吸収する光吸収部とを備え、該スクリーンの厚み方向に平行な断面において、前記光透過部及び前記光吸収部がスクリーン面に沿って交互に配置され、前記断面における前記光吸収部の断面形状が矩形形状又は楔形形状であり、
投射された映像光を反射して該スクリーンを透過させて映像を表示する透過型のスクリーンであること、
を特徴とするスクリーン。
【請求項３】
映像源から投射された映像光を反射して観察者側へ向けて映像を表示し、かつ、透明性を有するスクリーンであって、
該スクリーンの厚み方向の背面側の面に、映像光が入射する第１の面とこれに対向する第２の面とを有する単位光学形状が複数配列されて形成され、光透過性を有する光学形状層と、
前記単位光学形状の少なくとも前記第１の面の一部に形成され、入射した光の少なくとも一部を反射し、その他の光を透過する機能を有する反射層と、
該スクリーンの厚み方向において前記反射層よりも背面側に、光透過性を有し、前記単位光学形状の間の谷部を充填するように積層された第２光学形状層と、
を備え、
光を拡散する機能を有する拡散粒子を含有する光拡散層を備えておらず、
前記単位光学形状は、その表面に微細かつ不規則な凹凸形状を有し、
前記反射層の少なくとも前記単位光学形状側の面は、前記凹凸形状に対応した凹凸形状を有し、
前記反射層を透過した映像光の少なくとも一部を吸収又は拡散する抜け光抑制層を、該スクリーンの厚み方向において前記反射層よりも背面側に備え、
前記第２光学形状層の屈折率は、前記光学形状層の屈折率と、同等である、又は、同等とみなせる程度の小さい屈折率差を有し、
前記抜け光抑制層は、
前記反射層を透過した映像光の少なくとも一部を拡散する機能を有する層であり、
該抜け光抑制層に対して、第１入射角度範囲内の入射角で入射する光を拡散し、前記第１入射角度範囲外の入射角で入射する光を透過し、
前記第１入射角度範囲は、０°より大きく、
投射された映像光を反射して映像を表示する反射型のスクリーンであること、
を特徴とするスクリーン。
【請求項４】
請求項１又は請求項２に記載のスクリーンにおいて、
前記光透過部の屈折率をＮ１とし、前記光吸収部の屈折率をＮ２とするとき、Ｎ２≧Ｎ１という関係を満たすこと、
を特徴とするスクリーン。
【請求項５】
請求項４に記載のスクリーンにおいて、
前記光透過部及び前記光吸収部は、該スクリーンの使用状態における画面左右方向に延在し、画面上下方向に配列されていること、
を特徴とするスクリーン。
【請求項６】
請求項３に記載のスクリーンにおいて、
前記第１入射角度範囲は、２５〜７５°であること、
を特徴とするスクリーン。
【請求項７】
請求項１から請求項６までのいずれか１項に記載のスクリーンにおいて、
前記光学形状層は、前記単位光学形状が同心円状に複数配列されたサーキュラーフレネルレンズ形状を有すること、
を特徴とするスクリーン。
【請求項８】
請求項１から請求項７までのいずれか１項に記載のスクリーンと、
前記スクリーンに映像光を投射する映像源と、
を備える映像表示装置。
【発明の詳細な説明】
【技術分野】
【０００１】
本発明は、スクリーンと、これを備える映像表示装置とに関するものである。
【背景技術】
【０００２】
従来、映像源から投射された映像光を反射又は透過して表示するスクリーンとして、様々なものが開発されている（例えば、特許文献１参照）。なかでも、透明性を有するスクリーンは、窓ガラス等のように透光性の高い部材に貼り付ける等して固定し、投射された映像光を反射又は透過して映像を表示でき、かつ、映像光を投射しない不使用時等にはスクリーンの向こう側の景色が透けて見ることができるため、意匠性の高さ等から需要が高まっている。
【先行技術文献】
【特許文献】
【０００３】
【特許文献１】特開平９−１１４００３号公報
【発明の概要】
【発明が解決しようとする課題】
【０００４】
しかし、このような透明性を有するスクリーンは、拡散粒子等を含有する拡散層を備えていると、スクリーンの向こう側の景色が白っぽくぼやけて観察され、意匠性の低下を招くため、透明性の向上が課題となっていた。また、各種スクリーンにおいて、薄型化や、コントラストの高い良好な映像を表示することは、常々求められることである。
また、透明性を有するスクリーンでは、映像光をスクリーンに対して斜めに投射したときに、一部の映像光が、スクリーンの厚み方向の映像源側とは反対側の上方に向かって出射する場合がある。このような映像光（抜け光）が、特にスクリーンの画面上部等で生じると、天井等に映像が映り込み、映像表示装置としての意匠性の低下等を招くという問題があった。
特に、透明性を有し、かつ、映像光を反射して表示する反射スクリーンでは、このような抜け光は、本来映像を表示しないはずのスクリーンの背面側上方の天井に映像を映り込ませてしまうため、好ましくない。
【０００５】
上述の特許文献１には、透過型、反射型の両方に使用することができる投射スクリーンが提案されており、背面側からの光を透過することが可能である。しかし、この特許文献１には、透明性の向上に関する対策や、天井への映像の映り込みに対する対策に関してはなんら開示されていない。
【０００６】
本発明の課題は、透明性が高く、かつ、天井への映像の映り込みを低減できるスクリーン、及び、これを備える映像表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
第１の発明は、映像源から投射された映像光を反射して観察者側へ向けて映像を表示し、かつ、透明性を有するスクリーンであって、該スクリーンの厚み方向の背面側の面に、映像光が入射する第１の面（１２１ａ）とこれに対向する第２の面（１２１ｂ）とを有する単位光学形状（１２１）が複数配列されて形成され、光透過性を有する光学形状層（１２）と、前記単位光学形状の少なくとも前記第１の面の一部に形成され、入射した光の少なくとも一部を反射し、その他の光を透過する機能を有する反射層（１３）と、該スクリーンの厚み方向において前記反射層よりも背面側に、光透過性を有し、前記単位光学形状の間の谷部を充填するように積層された第２光学形状層（１４）と、を備え、光を拡散する機能を有する拡散粒子を含有する光拡散層を備えておらず、前記単位光学形状は、その表面に微細かつ不規則な凹凸形状を有し、前記反射層の少なくとも前記単位光学形状側の面は、前記凹凸形状に対応した凹凸形状を有し、前記反射層を透過した映像光の少なくとも一部を吸収又は拡散する抜け光抑制層（１５）を、該スクリーンの厚み方向において前記反射層よりも背面側に備え、前記第２光学形状層の屈折率は、前記光学形状層の屈折率と、同等である、又は、同等とみなせる程度の小さい屈折率差を有し、前記抜け光抑制層は、前記反射層を透過した映像光の少なくとも一部を吸収する機能を有する層であり、光を透過する光透過部（１５３）と光を吸収する光吸収部（１５４）とを備え、該スクリーンの厚み方向に平行な断面において、前記光透過部及び前記光吸収部がスクリーン面に沿って交互に配置され、前記断面における前記光吸収部の断面形状が矩形形状又は楔形形状であり、投射された映像光を反射して映像を表示する反射型のスクリーンであること、を特徴とするスクリーン（１０）である。
第２の発明は、映像源から投射された映像光を反射して観察者側へ向けて映像を表示し、かつ、透明性を有するスクリーンであって、該スクリーンの厚み方向の背面側の面に、映像光が入射する第１の面（３２１ａ）とこれに対向する第２の面（３２１ｂ）とを有する単位光学形状（３２１）が複数配列されて形成され、光透過性を有する光学形状層（３２）と、前記単位光学形状の少なくとも前記第１の面の一部に形成され、入射した光の少なくとも一部を反射し、その他の光を透過する機能を有する反射層（３３）と、該スクリーンの厚み方向において前記反射層よりも背面側に、光透過性を有し、前記単位光学形状の間の谷部を充填するように積層された第２光学形状層（３４）と、を備え、光を拡散する機能を有する拡散粒子を含有する光拡散層を備えておらず、前記単位光学形状は、その表面に微細かつ不規則な凹凸形状を有し、前記反射層の少なくとも前記単位光学形状側の面は、前記凹凸形状に対応した凹凸形状を有し、前記反射層を透過した映像光の少なくとも一部を吸収又は拡散する抜け光抑制層（１５）を、該スクリーンの厚み方向において前記反射層よりも背面側に備え、前記第２光学形状層の屈折率は、前記光学形状層の屈折率と、同等である、又は、同等とみなせる程度の小さい屈折率差を有し、前記抜け光抑制層は、前記反射層を透過した映像光の少なくとも一部を吸収する機能を有する層であり、光を透過する光透過部（１５３）と光を吸収する光吸収部（１５４）とを備え、該スクリーンの厚み方向に平行な断面において、前記光透過部及び前記光吸収部がスクリーン面に沿って交互に配置され、前記断面における前記光吸収部の断面形状が矩形形状又は楔形形状であり、投射された映像光を反射して該スクリーンを透過させて映像を表示する透過型のスクリーンであること、を特徴とするスクリーン（３０）である。
第３の発明は、映像源から投射された映像光を反射して観察者側へ向けて映像を表示し、かつ、透明性を有するスクリーンであって、該スクリーンの厚み方向の背面側の面に、映像光が入射する第１の面（１２１ａ）とこれに対向する第２の面（１２１ｂ）とを有する単位光学形状（１２１）が複数配列されて形成され、光透過性を有する光学形状層（１２）と、前記単位光学形状の少なくとも前記第１の面の一部に形成され、入射した光の少なくとも一部を反射し、その他の光を透過する機能を有する反射層（１３）と、該スクリーンの厚み方向において前記反射層よりも背面側に、光透過性を有し、前記単位光学形状の間の谷部を充填するように積層された第２光学形状層（１４）と、を備え、光を拡散する機能を有する拡散粒子を含有する光拡散層を備えておらず、前記単位光学形状は、その表面に微細かつ不規則な凹凸形状を有し、前記反射層の少なくとも前記単位光学形状側の面は、前記凹凸形状に対応した凹凸形状を有し、前記反射層を透過した映像光の少なくとも一部を吸収又は拡散する抜け光抑制層（２５）を、該スクリーンの厚み方向において前記反射層よりも背面側に備え、前記第２光学形状層の屈折率は、前記光学形状層の屈折率と、同等である、又は、同等とみなせる程度の小さい屈折率差を有し、前記抜け光抑制層は、前記反射層を透過した映像光の少なくとも一部を拡散する機能を有する層であり、該抜け光抑制層に対して、第１入射角度範囲（Ｒ１）内の入射角で入射する光を拡散し、前記第１入射角度範囲外の入射角で入射する光を透過し、前記第１入射角度範囲は、０°より大きく、投射された映像光を反射して映像を表示する反射型のスクリーンであること、を特徴とするスクリーン（２０）である。
第４の発明は、第１の発明又は第２の発明のスクリーンにおいて、前記光透過部（１５３）の屈折率をＮ１とし、前記光吸収部（１５４）の屈折率をＮ２とするとき、Ｎ２≧Ｎ１という関係を満たすこと、を特徴とするスクリーン（１０，３０）である。
第５の発明は、第４の発明のスクリーンにおいて、前記光透過部（１５３）及び前記光吸収部（１５４）は、該スクリーンの使用状態における画面左右方向に延在し、画面上下方向に配列されていること、を特徴とするスクリーン（１０，３０）である。
第６の発明は、第３の発明のスクリーンにおいて、前記第１入射角度範囲（Ｒ１）は、２５〜７５°であること、を特徴とするスクリーン（２０）である。
第７の発明は、第１の発明から第６の発明までのいずれかのスクリーンにおいて、前記光学形状層（１２，３２）は、前記単位光学形状（１２１，３２１）が同心円状に複数配列されたサーキュラーフレネルレンズ形状を有すること、を特徴とするスクリーン（１０，２０，３０）である。
第８の発明は、第１の発明から第７の発明までのいずれかのスクリーン（１０，２０，３０）と、前記スクリーンに映像光を投射する映像源（ＬＳ）と、を備える映像表示装置（１）である。
【発明の効果】
【０００８】
本発明によれば、透明性が高く、かつ、天井への映像の映り込みを低減できるスクリーン、及び、これを備える映像表示装置を提供することができる。
【図面の簡単な説明】
【０００９】
【図１】第１実施形態の映像表示装置１を示す図である。
【図２】第１実施形態のスクリーン１０の層構成を示す図である。
【図３】第１実施形態の第１光学形状層１２を説明する図である。
【図４】第１実施形態の抜け光抑制層１５を説明する図である。
【図５】第１実施形態のスクリーン１０での映像光及び外光の様子を示す図である。
【図６】第１実施形態の抜け光抑制層１５の別の形態を示す図である。
【図７】第２実施形態のスクリーン２０の層構成を示す図である。
【図８】第２実施形態の抜け光抑制層２５を説明する図である。
【図９】第３実施形態のスクリーン３０の層構成を示す図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１１】
本明細書中において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、シート面とは、各シートにおいて、そのシート全体として見たときにおける、シートの平面方向となる面を示すものであるとする。なお、板面、フィルム面についても同様である。
【００１２】
（第１実施形態）
図１は、第１実施形態の映像表示装置１を示す図である。図１（ａ）では、映像表示装置１の斜視図であり、図１（ｂ）は、映像表示装置１を側面から見た図である。
映像表示装置１は、スクリーン１０、映像源ＬＳ等を有している。本実施形態のスクリーン１０は、映像源ＬＳから投影された映像光Ｌを反射して、画面上に映像を表示する反射スクリーンである。このスクリーン１０の詳細に関しては、後述する。
本実施形態では、一例として、映像表示装置１は、室内用の透明板によるパーテーションに適用され、スクリーン１０がその透明板に固定される例を挙げて説明する。なお、このような透明板としては、ガラス製や樹脂製等の透明性の高い板状の部材が用いられる。
【００１３】
ここで、理解を容易にするために、図１を含め以下に示す各図において、適宜、ＸＹＺ直交座標系を設けて示している。この座標系では、スクリーン１０の画面の水平方向（左右方向）をＸ方向、鉛直方向（上下方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の映像源側の正面方向に位置する観察者Ｏ１から見て水平方向の右側に向かう方向を＋Ｘ方向、鉛直方向の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１４】
映像源ＬＳは、映像光Ｌをスクリーン１０へ投影する映像投射装置であり、例えば、短焦点型のプロジェクタである。
この映像源ＬＳは、映像表示装置１の使用状態において、スクリーン１０の画面（表示領域）を正面方向（スクリーン面の法線方向）から見た場合に、スクリーン１０の画面左右方向の中央であって、スクリーン１０の画面よりも鉛直方向下方側に位置している。
映像源ＬＳは、奥行き方向（Ｚ方向）において、スクリーン１０の表面からの距離が、従来のスクリーンの画面正面方向に位置する汎用プロジェクタに比べて大幅に近い位置から斜めに映像光Ｌを投影できる。したがって、従来の汎用プロジェクタに比べて、映像源ＬＳは、スクリーン１０までの投射距離が短く、投射された映像光Ｌがスクリーン１０に入射する入射角度が大きく、入射角度の変化量（最小値から最大値までの変化量）も大きい。
【００１５】
スクリーン１０は、映像源ＬＳが投射した映像光Ｌを映像源側（＋Ｚ側）の正面方向に位置する観察者Ｏ１側へ向けて反射して、観察者Ｏ１に映像を表示でき、かつ、スクリーン１０の向こう側の景色を観察できる透明性を有する反射スクリーンである。
スクリーン１０の画面（表示領域）は、使用状態において、観察者Ｏ１側から見て長辺方向が画面左右方向となる略矩形状である。また、スクリーン１０は、その画面サイズが対角４０〜１００インチ程度であり、画面の横縦比が１６：９である。
なお、これに限らず、スクリーン１０は、例えば、観察者Ｏ１側から見た形状を他の形状としてもよいし、その画面サイズを４０インチ以下の大きさとしてもよく、使用目的や使用環境等に応じて、その大きさや形状は適宜選択できるものとする。
【００１６】
一般的に、スクリーン１０は、樹脂製の薄い層の積層体等であり、それ単独では平面性を維持するだけの十分な剛性を有していない場合が多い。そのため、本実施形態のスクリーン１０は、図１に示すように、その背面側に光透過性を有する接合層５１を介して支持板５０に一体に接合（あるいは部分固定）され、画面の平面性を維持している。
支持板５０は、光透過性を有し、剛性が高い平板状の部材であり、アクリル樹脂やＰＣ（ポリカーボネート）樹脂等の樹脂製、ガラス製等の板状の部材を用いることができる。本実施形態の支持板５０は、室内用パーテーションのガラス製の透明板ある。
なお、これに限らず、スクリーン１０は、不図示の枠部材等によってその四辺等が支持され、その平面性を維持する形態としてもよい。
【００１７】
図２は、第１実施形態のスクリーン１０の層構成を示す図である。図２では、スクリーン１０の画面中央（画面の幾何学的中心）となる点Ａ（図１参照）を通り、画面上下方向（Ｙ方向）に平行であって、スクリーン面に直交（Ｚ方向に平行）する断面の一部を拡大して示している。なお、図２では、スクリーン１０のみを示し、支持板５０等は省略して示している。
図３は、第１実施形態の第１光学形状層１２を説明する図である。図３（ａ）は、第１光学形状層１２を背面側（−Ｚ側）から見た図であり、理解を容易にするために、反射層１３等を省略して示している。図３（ｂ）は、第１光学形状層１２の単位光学形状１２１を説明する図であり、図２に示すスクリーン１０の断面の一部を拡大して示している。なお、図３（ｂ）では、理解を容易にするために、基材層１１及び抜け光抑制層１５は省略して示している。
スクリーン１０は、図２に示すように、厚み方向（Ｚ方向）において、その映像源側（＋Ｚ側）から順に、基材層１１、第１光学形状層１２、反射層１３、第２光学形状層１４、抜け光抑制層１５等を備えている。
【００１８】
基材層１１は、光透過性を有するシート状の部材であり、その背面側（−Ｚ側）に、第１光学形状層１２が一体に形成されている。この基材層１１は、第１光学形状層１２を形成する基材（ベース）となる層である。
基材層１１は、例えば、高い光透過性を有するＰＥＴ（ポリエチレンテレフタレート）等のポリエステル樹脂、アクリル樹脂、スチレン樹脂、アクリル・スチレン樹脂、ＰＣ（ポリカーボネート）樹脂、脂環式ポリオレフィン樹脂、ＴＡＣ（トリアセチルセルロース）樹脂等により形成される。
基材層１１は、スクリーン１０の画面サイズ等に応じてその厚さを適宜設定してよい。
【００１９】
第１光学形状層１２は、基材層１１の背面側（−Ｚ側）に形成された光透過性を有する層である。第１光学形状層１２の背面側（−Ｚ側）の面には、単位光学形状（単位レンズ）１２１が複数配列されて設けられている。
単位光学形状１２１は、図３（ａ）に示すように、真円の一部形状（円弧状）であり、スクリーン１０の画面（表示領域）外に位置する点Ｃを中心として、同心円状に複数配列されている。即ち、第１光学形状層１２は、点Ｃを中心（フレネルセンター）とする、いわゆるオフセット構造のサーキュラーフレネルレンズ形状を、その背面側に有している。
本実施形態では、図３（ａ）に示すように、第１光学形状層１２をスクリーン面の法線方向背面側から見たときに、点Ｃは、画面左右方向の中央であって画面外下方に位置しており、点Ｃと点Ａとは、同一直線上に位置している。
【００２０】
単位光学形状１２１は、図２及び図３（ｂ）に示すように、スクリーン面に直交する方向（Ｚ方向）に平行であって、単位光学形状１２１の配列方向に平行な断面における断面形状が、略三角形形状である。
単位光学形状１２１は、背面側（−Ｚ側）に凸であり、映像光が入射する第１斜面（レンズ面）１２１ａと、これに対向する第２斜面（非レンズ面）１２１ｂとを有している。１つの単位光学形状１２１において、第１斜面１２１ａは、頂点ｔを挟んで第２斜面１２１ｂの上側（＋Ｙ側）に位置している。
【００２１】
第１斜面１２１ａがスクリーン面に平行な面となす角度は、θ１である。第２斜面１２１ｂがスクリーン面に平行な面となす角度は、θ２である。角度θ１，θ２は、θ２＞θ１という関係を満たしている。
この単位光学形状１２１の第１斜面１２１ａ及び第２斜面１２１ｂは、微細かつ不規則な凹凸形状を有している。この微細な凹凸形状は、凸形状と凹形状とが２次元方向に不規則に配列されて形成されており、凸形状及び凹形状は、その大きさや形状、高さ等が不規則である。
【００２２】
単位光学形状１２１の配列ピッチは、Ｐ１であり、単位光学形状１２１の高さ（厚み方向における頂点ｔから単位光学形状１２１間の谷底となる点ｖまでの寸法）は、ｈ１である。
理解を容易にするために、図２及び図３（ｂ）では、単位光学形状１２１の配列ピッチＰ１、角度θ１，θ２は、単位光学形状１２１の配列方向において一定である例を示している。しかし、本実施形態の単位光学形状１２１は、実際には、配列ピッチＰ１は一定であるが、角度θ１が単位光学形状１２１の配列方向においてフレネルセンターとなる点Ｃから離れるにつれて次第に大きくなっている。
また、角度θ１，θ２、配列ピッチＰ１等は、映像源ＬＳからの映像光の投射角度（スクリーン１０への映像光の入射角度）や、映像源ＬＳの画素（ピクセル）の大きさ、スクリーン１０の画面サイズ、各層の屈折率等に応じて、適宜設定してよい。例えば、単位光学形状１２１の配列方向に沿って、配列ピッチＰ１や角度θ１等が変化する形態としてもよい。
【００２３】
なお、本実施形態では、第１光学形状層１２の背面側の面には、サーキュラーフレネルレンズ形状が形成される例を示したが、これに限らず、第１光学形状層１２の背面側の面には、単位光学形状１２１が画面左右方向（Ｘ方向）を長手方向とし、画面上下方向（Ｙ方向）に配列されたリニアフレネルレンズ形状が形成される形態としてもよい。また、柱状の単位プリズムが、画面左右方向（Ｘ方向）を長手方向とし、画面上下方向（Ｙ方向）に複数された形態としてもよい。
【００２４】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００２５】
反射層１３は、単位光学形状１２１上（第１斜面１２１ａ及び第２斜面１２１ｂ上）に形成されている。この反射層１３は、入射した光の一部を反射し、その他を透過する半透過型の反射層、いわゆるハーフミラーである。
前述のように、第１斜面１２１ａ及び第２斜面１２１ｂ（単位光学形状１２１の表面）には、微細な凹凸形状が形成されており、反射層１３は、この微細な凹凸形状に追従して形成され、かつ、単位光学形状１２１側とは反対側の面にも、この微細かつ不規則な凹凸形状が維持された状態で成膜されている。したがって、反射層１３の映像源側の面（第１光学形状層１２側の面）と、背面側の面（第２光学形状層１４側の面）とは、微細かつ不規則な凹凸形状を有するマット面（粗面）となっている。
この反射層１３は、入射した光の一部を反射面の微細な凹凸形状により拡散して反射し、反射しない他の光を拡散しないで透過するという機能を有する。
【００２６】
また、反射層１３の反射率及び透過率は、所望する光学性能に合わせて適宜に設定できる。映像光を良好に反射させるとともに、映像光以外の光（例えば、太陽光等の外界からの光）を良好に透過させる観点から、反射層１３の反射率及び透過率は、透過率が３０〜８０％程度、反射率が５〜６０％程度の範囲であることが望ましい。
【００２７】
この反射層１３は、光反射性の高い金属、例えば、アルミニウム、銀、ニッケル等により形成され、その厚さは、数１０Å程度である。本実施形態の反射層１３は、アルミニウムを蒸着することにより形成されている。
反射層１３は、これに限らず、例えば、上述のような光反射性の高い金属をスパッタリングして形成してもよいし、誘電体多層膜を蒸着したり、スパッタリングしたりすることにより形成されてもよい。
本実施形態の反射層１３は、アルミニウムを蒸着することにより形成されており、反射層１３のみでの反射率が約１５％、透過率が約５０％のハーフミラー状である。
【００２８】
第２光学形状層１４は、第１光学形状層１２の背面側（−Ｚ側）に設けられた光透過性を有する層である。
第２光学形状層１４は、単位光学形状１２１間の谷部を埋めるように充填され、第１光学形状層１２の背面側（−Ｚ側）の面を平坦化している。この第２光学形状層１４の映像源側（＋Ｚ側）の面は、第１光学形状層１２の単位光学形状１２１の略逆型の形状が複数配列されて形成されている。
このような第２光学形状層１４を設けることにより、反射層１３を保護することができる。また、このような第２光学形状層１４を設けることにより、スクリーン１０の背面側に抜け光抑制層１５等を積層しやすくなり、また、スクリーン１０の支持板５０等への接合も容易となる。
【００２９】
第２光学形状層１４の屈折率は、第１光学形状層１２と略同等（同等とみなせる程度に小さい屈折率差を有している状態）であることが好ましく、同等であることが望ましい。また、第２光学形状層１４は、前述の第１光学形状層１２と同じ樹脂を用いて形成してもよいし、異なる樹脂を用いて形成してもよい。
本実施形態の第２光学形状層１４は、第１光学形状層１２と同じ紫外線硬化型樹脂により形成されている。
【００３０】
図４は、第１実施形態の抜け光抑制層１５を説明する図である。図４（ａ）では、図２に示すスクリーン１０の断面のうち、抜け光抑制層１５のみを拡大して示している。図４（ｂ）では、抜け光抑制層１５を背面側（−Ｚ側）の正面方向から見た一部を拡大して示している。
抜け光抑制層１５は、第２光学形状層１４の背面側（−Ｚ側）に設けられた層である。この抜け光抑制層１５は、図２及び図４に示すように、基材部１５１、光制御部１５２を有している。
【００３１】
基材部１５１は、この抜け光抑制層１５のベース（基材）となる部材である。基材部１５１は、光透過性を有する樹脂製のシート状の部材である。
基材部１５１は、例えば、高い光透過性を有するＰＥＴ等のポリエステル樹脂、アクリル樹脂、スチレン樹脂、アクリル・スチレン樹脂、ＰＣ樹脂、脂環式ポリオレフィン樹脂、ＴＡＣ樹脂等により形成される。
【００３２】
光制御部１５２は、光透過部１５３と光吸収部１５４とを有し、これらが交互に配列されたいわゆるルーバー形状を有している。
光透過部１５３は、図４（ｂ）に示すように、画面左右方向（Ｘ方向）を長手方向とする略柱状であり、基材部１５１の背面側（−Ｚ側）の面に、スクリーン面に沿って画面上下方向に複数配列されて形成されている。
光透過部１５３は、その配列方向（Ｙ方向）に平行であってスクリーン１０の厚み方向（Ｚ方向）に平行な断面形状が、図４（ａ）に示すように、略台形形状であり、映像源側（＋Ｚ側）の寸法Ｗ２が、背面側（−Ｚ側）の寸法Ｗ１よりも大きく、映像源側端部はＸＹ方向に連続した形態となっている。
本実施形態の光透過部１５３は、その断面形状が等脚台形であり、配列方向である画面上下方向（Ｙ方向）において対称な形状である。
【００３３】
光透過部１５３は、光透過性を有し、ウレタンアクリレート等の紫外線硬化型樹脂を紫外線成形法により成形する等して形成されている。しかし、これに限らず、光透過部１５３は、電子線硬化型樹脂等の他の電離放射線硬化型樹脂により形成してもよい。
また、光透過部１５３は、上述のような紫外線硬化形樹脂に限らず、ＰＥＴ樹脂等の熱可塑性樹脂等を用いて熱溶融押出成形等により形成されてもよい。このとき、光透過部１５３の映像源側の連続部分が十分な厚みや剛性等を有するならば、前述の基材部１５１を設けない形態としてもよい。
【００３４】
光吸収部１５４は、光を吸収する作用を有する部分であり、図４（ａ）に示すように、隣り合う光透過部１５３の間の谷状の部分に形成されている。
光吸収部１５４は、図４（ｂ）に示すように、画面左右方向（Ｘ方向）に延在し、スクリーン面に沿って光透過部１５３と画面上下方向（Ｙ方向）に交互に配置されている。
抜け光抑制層１５の背面側の面は、図４（ｂ）に示すように、光透過部１５３の背面側の面と光吸収部１５４の背面側の面とで形成されている。
【００３５】
光吸収部１５４は、その配列方向（Ｙ方向）に平行であってスクリーン１０の厚み方向（Ｚ方向）に平行な断面における断面形状が、楔形形状である。ここで、楔形形状とは、一端が広く他端に至るにしたがってしだいに狭くなっている形状を意味し、三角形形状や台形形状を含む形状であるものとする。
本実施形態の光吸収部１５４は、図４（ａ）に示すように、映像源側（＋Ｚ側）の寸法Ｗ４が背面側（−Ｚ側）の寸法Ｗ３よりも小さい等脚台形であり、配列方向である画面上下方向（Ｙ方向）において対称な形状である。
【００３６】
光透過部１５３の屈折率をＮ１とし、光吸収部１５４の屈折率をＮ２とするとき、Ｎ１≦Ｎ２を満たすことが、反射層１３を透過した映像光等を吸収する観点から好ましい。なお、両者の屈折率差が十分に小さい場合には、光吸収部１５４の屈折率Ｎ２が、光透過部１５３の屈折率Ｎ１よりも小さい形態としてもよい。
本実施形態では、光吸収部１５４の屈折率Ｎ２は、光透過部１５３の屈折率Ｎ１よりも大きく、Ｎ２≧Ｎ１を満たしている。
【００３７】
光吸収部１５４は、光を吸収する作用を有する光吸収材料等を含有した樹脂を、光透過部１５３間の谷部にワイピング（スキージング）して充填し、硬化させる等して形成される。
光吸収部１５４の母材となる樹脂は、例えば、ウレタンアクリレート、エポキシアクリレート等の紫外線硬化型樹脂や電子線硬化型樹脂等の電離放射線硬化型樹脂が好適である。前述のように、光吸収部１５４の屈折率を光透過部１５３の屈折率よりも大きくする場合には、この光吸収部１５４の母材となる樹脂は、光透過部１５３を形成する樹脂よりも屈折率が大きいものとすることが好ましい。
【００３８】
光吸収部１５４に用いられる光吸収材料は、可視光領域の光を吸収する機能を有する粒子状等の部材であり、例えば、カーボンブラック、グラファイト、黒色酸化鉄等の金属塩、顔料や染料、顔料や染料で着色された樹脂粒子等が好適である。顔料や染料で着色された樹脂粒子を用いる場合には、その樹脂粒子は、アクリル系樹脂製や、ＰＣ樹脂製、ＰＥ樹脂製、ＰＳ樹脂製、ＭＢＳ樹脂、ＭＳ樹脂等により形成されたものを用いることができる。
【００３９】
図４（ａ）に示すように、光透過部１５３（光吸収部１５４）の配列ピッチは、Ｐ２であり、光制御部１５２の厚みは、Ｄ１である。また、光透過部１５３の配列方向における光透過部１５３の映像源側（＋Ｚ側）の寸法がＷ２、背面側（−Ｚ側）の寸法がＷ１、光吸収部１５４の映像源側の寸法がＷ４、背面側の寸法がＷ３である。
また、スクリーン１０の厚み方向（Ｚ方向）における光吸収部１５４の寸法は、ｈ２であり、光透過部１５３と光吸収部１５４との界面が、スクリーン１０の厚み方向となす角度は、θ３である。
この角度θ３や寸法ｈ２、ピッチＰ２等は、映像光の入射角度や光透過部１５３の屈折率等に応じて、適宜設定可能である。
【００４０】
なお、本実施形態では、スクリーン１０は、抜け光抑制層１５がスクリーンの最も背面側に位置する形態とし、抜け光抑制層１５の背面側の面に接合層５１を介して支持板５０が一体に積層された形態とした。しかし、これに限らず、スクリーン１０は、抜け光抑制層１５の背面側に、さらに、スクリーン１０の背面側の表面を保護する不図示の保護層等を備えてもよい。
【００４１】
上述のように、本実施形態のスクリーン１０は、光を拡散する作用を有する拡散粒子等の拡散材を含有した光拡散層を備えておらず、拡散作用を有するのは、反射層１３の表面の微細凹凸形状のみである。
【００４２】
図５は、第１実施形態のスクリーン１０での映像光及び外光の様子を示す図である。図５では、図２に示す断面と同様の断面（単位光学形状１２１の配列方向（Ｙ方向）及びスクリーン１０の厚み方向（Ｚ方向）に平行な断面）の一部を拡大して示している。また、図５では、理解を容易にするために、基材層１１と第１光学形状層１２との界面、第１光学形状層１２と反射層１３との界面、反射層１３と第２光学形状層１４との界面、第２光学形状層１４と基材部１５１との界面、基材部１５１と光透過部１５３との界面における屈折率差はないものとして示している。
スクリーン１０の下方に位置する映像源ＬＳから投射され、スクリーン１０に入射した映像光Ｌ１のうち、一部の映像光Ｌ２は、その単位光学形状１２１の第１斜面１２１ａに入射し、反射層１３によって拡散反射され、観察者Ｏ１側へ出射する。
【００４３】
第１斜面１２１ａに入射した映像光のうち、反射層１３で反射しなかった他の映像光Ｌ４は、反射層１３を透過し、その多くが抜け光抑制層１５の光吸収部１５４に吸収される。よって、反射層１３を透過し、スクリーン１０の背面側から上方へ出射する映像光は、その光量が大幅に低減される。
したがって、反射層１３を透過してスクリーン１０の背面側（−Ｚ側）に出射した映像光が、背面側のスクリーン１０の近傍の天井等に到達して生じる映像の映り込みを大幅に抑制できる。
【００４４】
また、映像源ＬＳから投射された映像光Ｌ１うち、一部の映像光Ｌ３は、スクリーン１０の表面で反射し、スクリーン１０の映像源側（＋Ｚ側）上方へ向かうので、観察者Ｏ１の映像の視認の妨げにはならない。
なお、本実施形態では、映像光Ｌ１がスクリーン１０の下方から投射され、かつ、角度θ２（図２参照）がスクリーン１０の画面上下方向の各点における映像光の入射角度よりも大きいので、映像光が第２斜面１２１ｂに直接入射することはなく、第２斜面１２１ｂは、映像光の反射にはほとんど影響しない。
【００４５】
次に、背面側（−Ｚ側）又は映像源側（＋Ｚ側）からスクリーン１０に入射する映像光以外の太陽光等の外界からの光（以下、外光という）について説明する。
図５に示すように、スクリーン１０に映像源側上方から入射する外光Ｇ１のうち、一部の外光Ｇ２は、スクリーン１０の表面で反射し、スクリーン下方側へ向かい、観察者Ｏ１には届かない。また、外光Ｇ１のうち、一部の外光Ｇ３は、反射層１３で反射し、一部がスクリーン１０下方へ出射し、一部がスクリーン１０の映像源側（＋Ｚ側）の表面で全反射してスクリーン１０内下方へ向かい、減衰する。
また、スクリーン１０に映像源側上方から入射し、反射層１３を透過する外光Ｇ４は、抜け光抑制層１５の光吸収部１５４に入射してその多くが効率よく吸収され、背面側から出射する光量が大幅に低減される。
【００４６】
スクリーン１０に背面側上方から入射する外光Ｇ５のうち、一部の外光Ｇ６は、スクリーン１０の表面で反射し、スクリーン下方側へ向かい、観察者Ｏ２には届かない。また、外光Ｇ５のうち、スクリーン１０に入射した外光Ｇ７の多くは、光吸収部１５４に入射して吸収される。
また、スクリーン１０に背面側上方から入射し、抜け光抑制層１５を透過した外光は、外光Ｇ８のように反射層１３で反射して、光吸収部１５４に入射して吸収されたり、図示しないが、反射層１３を透過してスクリーン１０の映像源側下方へ出射したり、映像源側の表面で全反射して、スクリーン内部下方側へ向かい、減衰したりする。
したがって、スクリーン１０に背面側上方から入射する外光は、抜け光抑制層１５の光吸収部１５４によって効率よく吸収され、映像源側から出射する光量が大幅に低減される。
以上のことから、スクリーン１０に映像源側又は背面側から入射する外光が観察者Ｏ１に届いて、映像のコントラストが低下することを大幅に改善できる。
【００４７】
また、スクリーン１０への入射角度が小さい外光Ｇ９，Ｇ１０は、反射層１３を透過して、それぞれ背面側、映像源側へ出射する。スクリーン１０は、拡散粒子を含有する拡散材等を含有していないので、このスクリーン１０を透過する外光Ｇ９，Ｇ１０は、拡散されない。
したがって、観察者Ｏ１，Ｏ２が、スクリーン１０を通してスクリーン１０の向こう側の景色を観察した場合に、スクリーン１０の向こう側の景色がぼやけたり、白くにじんだりすることなく、高い透明性を有して観察することができる。
【００４８】
従来の光を拡散する作用を有する拡散粒子を含有する光拡散層を備えた半透過型の反射スクリーンでは、映像光は、反射層での反射前後の２回拡散されるので、良好な視野角が得られる一方で映像の解像度が低下するという問題がある。また、拡散粒子によって外光も拡散されるため、スクリーンの向こう側の景色がぼやけたり、白くにじんだりして観察される。
【００４９】
しかし、本実施形態のスクリーン１０では、反射層１３の表面が微細かつ不規則な凹凸形状を有する以外は、拡散作用を有しておらず、映像光は反射時のみ拡散される。また、本実施形態のスクリーン１０では、反射層１３で反射する光のみが拡散され、反射層１３を透過する光は拡散されない。したがって、本実施形態のスクリーン１０は、良好な視野角及び解像度を有する映像を表示でき、かつ、スクリーン１０の向こう側の景色が白くにじんだり、ぼけたりすることがなく観察者Ｏ１に良好に視認され、高い透明性を実現できる。
また、本実施形態のスクリーン１０では、スクリーン１０に映像光が投射された状態においても、観察者Ｏ１が、スクリーン１０の向こう側（背面側、−Ｚ側）の景色を一部視認することが可能である。さらに、スクリーン１０では、背面側に位置する観察者Ｏ２は、映像光の投射の有無に関わらず、スクリーン１０越しに映像源側（＋Ｚ側）の景色を高い透明性を有して良好に視認することができる。
【００５０】
さらに、仮に、スクリーン１０が抜け光抑制層１５を備えていない場合、反射層１３を透過した映像光の一部は、スクリーン１０の背面側（−Ｚ側）からスクリーン１０の上方へ出射する。このとき、反射層１３を透過した映像光（抜け光）が、スクリーン１０の背面側の画面上部に相当する領域から出射した場合には、そのような抜け光がスクリーン１０背面側の天井に到達して映像が映り込み、映像表示装置としての意匠性の低下等を招くという問題があった。このような天井への映像の映り込みは、スクリーン１０が大画面である場合には、特に生じやすい。
【００５１】
しかし、本実施形態のスクリーン１０では、反射層１３を透過した映像光（抜け光）を抜け光抑制層１５の光吸収部１５４によって効率よく吸収でき、そのような天井への映像の映り込みを大幅に改善できる。
また、本実施形態のスクリーン１０では、抜け光抑制層１５は、スクリーン１０へ入射角０°等小さな入射角で入射する光（例えば、図５に示す外光Ｇ９，Ｇ１０）を透過するので、観察者Ｏ１，Ｏ２がスクリーン１０を通してスクリーンの向こう側の景色等を視認する際に十分な透明性を維持できる。
また、本実施形態のスクリーン１０では、スクリーン１０の背面側上方から入射する太陽光や照明光等の不要な外光を吸収するので、映像のコントラストを向上させ、良好な映像を表示できる。
【００５２】
（第１実施形態の抜け光抑制層１５の別の形態）
図６は、第１実施形態の抜け光抑制層１５の別の形態を示す図である。図６では、抜け光抑制層１５の別の形態における前述の図４に示す断面に相当する断面を示している。
抜け光抑制層１５の光吸収部１５４は、図６（ａ）に示すように、その配列方向（Ｙ方向）及びスクリーン１０の厚み方向（Ｚ方向）に平行な断面での断面形状を矩形形状としてもよいし、図６（ｂ）に示すように、三角形形状としてもよい。また、光吸収部１５４の断面形状は、厳密な矩形形状、楔形形状だけでなく、その形状とみなせる程度のわずかな差異を有する略矩形形状や略楔形形状としてもよい。
また、図６（ｃ）に示すように、抜け光抑制層１５の光吸収部１５４は、その配列方向（Ｙ方向）及びスクリーン１０の厚み方向（Ｚ方向）に平行な断面での断面形状において、映像源側（＋Ｚ側）の寸法Ｗ４が、背面側（−Ｚ側）の寸法Ｗ３よりも大きい形態としてもよいし、光吸収部１５４の断面形状が三角形形状である場合には、背面側に頂点が位置する形態としてもよい。この場合、基材部１５１は、光制御部１５２の背面側に位置する形態となる。
【００５３】
また、図６（ｃ）に示すように、抜け光抑制層１５が基材部１５１が光制御部１５２の背面側に位置する形態であって、スクリーン１０の背面側に支持板５０等を設けない場合には、基材部１５１にハードコート機能や反射防止機能、帯電防止機能、防汚機能、紫外線吸収機能等の機能を適宜選択して付与してもよい。
なお、光吸収部１５４は、その断面形状を等脚台形形状以外の台形形状や二等辺三角形形状や不等辺三角形状、平行四辺形形状や五角形形状等の他の多角形形状としてもよいし、光透過部１５３との界面の少なくとも１つが、折れ面状であったり、一部が曲面によって形成されていたりしてもよい。
【００５４】
（第２実施形態）
図７は、第２実施形態のスクリーン２０の層構成を示す図である。図７では、前述の図２に示すスクリーン１０の断面に相当するスクリーン２０の断面を示している。
第２実施形態のスクリーン２０は、前述の第１実施形態に示した抜け光抑制層１５とは異なる特徴を有する抜け光抑制層２５を備えている点が異なる以外は、第１実施形態のスクリーン１０と同様の形態である。したがって、前述の第１実施形態と同様の機能を果たす部分には、同一の符号又は末尾に同一の符号を付して、重複する説明を適宜省略する。
本実施形態のスクリーン２０は、基材層１１、第１光学形状層１２、反射層１３、第２光学形状層１４、抜け光抑制層２５を備えている。このスクリーン２０は、前述の第１実施形態に示した映像表示装置１に適用可能である。
【００５５】
図８は、第２実施形態の抜け光抑制層２５を説明する図である。理解を容易にするために、図８では、図７に示すスクリーン２０の断面における抜け光抑制層２５のみを示しており、直線Ｈは、抜け光抑制層２５の映像源側の面に直交する直線である。
抜け光抑制層２５は、第２光学形状層１４の背面側に設けられた層である。この抜け光抑制層２５は、映像源側（＋Ｚ側）から、第１入射角度範囲Ｒ１内の入射角で抜け光抑制層２５に入射した光を拡散して背面側（−Ｚ側）へ出射し、第１入射角度範囲Ｒ１以外の第２入射角度範囲Ｒ２内の入射角で入射した光を拡散せずに背面側へ透過するという機能を有している。
この抜け光抑制層２５の映像源側（＋Ｚ側）の面及び背面側（−Ｚ側）の面は、スクリーン面（ＹＸ面）に平行である。
【００５６】
この第１入射角度範囲Ｒ１は、映像源ＬＳから投射され、スクリーン２０に入射してスクリーン内を透過してきた映像光が抜け光抑制層２５に主に入射する角度範囲を含んでいる。
第１入射角度範囲Ｒ１は、２５〜７５°程度である。抜け光抑制層２５は、その映像源側の面の任意の点に対して、画面上下方向下側から、入射角２５°以上７５°以下で入射する光を、拡散して背面側（−Ｚ側）へ出射する。
【００５７】
また、第２入射角度範囲Ｒ２は、第１入射角度範囲Ｒ１以外の角度である。図８に示すように、抜け光抑制層２５は、その映像源側の面の任意の点に対して、画面上下方向上側に入射角０°以上９０°以下、画面上下方向下側に入射角０°以上２５°未満、画面上下方向下側に入射角７５°より大きく９０°以下で入射する光を、拡散せずに透過して背面側の面から出射する。
【００５８】
本実施形態では、第１入射角度範囲Ｒ１は、２５〜５５°であり、抜け光抑制層２５は、映像源側（＋Ｚ側）の面の任意の点に、画面上下方向下側から入射角２５°以上５５°以下で入射する光を拡散する。また、抜け光抑制層２５は、第１入射角度範囲Ｒ１以外の第２入射角度範囲Ｒ２の入射角で入射する光を透過する。
また、本実施形態の抜け光抑制層２５は、背面側（−Ｚ側）から入射する光に関しては、映像源側へ透過する。
このような抜け光抑制層２５としては、屈折率が異なる透明樹脂の層が、所定の厚さで所定の方向に複数積層されて形成された視界制御フィルム（例えば、住友化学株式会社製のルミスティ）が好適である。
【００５９】
本実施形態では、上記のような抜け光抑制層２５を備えているので、映像源側下方から斜めに投射された映像光の一部が、反射層１３を透過して背面側に向かい、抜け光抑制層２５に入射した場合、その映像光を拡散して出射することでができる。
したがって、本実施形態によれば、天井への映像の映り込みを抑制することができ、透明性も維持できる。
【００６０】
第１入射角度範囲Ｒ１及び第２入射角度範囲Ｒ２は、この映像表示装置１の使用環境や所望する光学性能、映像源ＬＳからの映像光の投射角度（映像光のスクリーン２０への入射角度）等に応じて、適宜設定可能である。
例えば、第１入射角度範囲Ｒ１を、画面上下方向上側及び下側２５〜５５°とし、抜け光抑制層２５が、映像源側から抜け光抑制層２５の映像源側の面に直交する直線Ｈに対して画面上下方向上側２５〜５５°及び下側２５〜５５°の入射角で入射する光を拡散する形態や、背面側から所定の入射角度範囲内の入射角で入射する光も拡散する形態としてもよい。
【００６１】
（第３実施形態）
図９は、第３実施形態のスクリーン３０の層構成を示す図である。図９では、前述の図２に示すスクリーン１０の断面に相当するスクリーン３０の断面を示している。
第３実施形態のスクリーン３０は、前述の第１実施形態に示した反射層１３に替えて、低屈折率層３３を備えている点が異なる以外は、第１実施形態のスクリーン１０と同様の形態である。したがって、前述の第１実施形態と同様の機能を果たす部分には、同一の符号又は末尾に同一の符号を付して、重複する説明を適宜省略する。
本実施形態のスクリーン３０は、基材層１１、第１光学形状層３２、低屈折率層３３、第２光学形状層３４、抜け光抑制層１５を備えている。このスクリーン３０は、スクリーン１０に代えて、前述の第１実施形態に示した映像表示装置１に適用可能である。
【００６２】
前述の第１実施形態のスクリーン１０は、スクリーンの厚み方向において、映像源側（＋Ｚ側）から投射された光の少なくとも一部を反射層１３により映像源側へ反射し、映像源側に位置する観察者Ｏ１に映像を表示するスクリーンであった。
これに対して、本実施形態のスクリーン３０は、映像源側から投射された光の少なくとも一部を低屈折率層３３によって背面側（−Ｚ側）へ反射し、背面側に位置する観察者Ｏ２に映像を表示するスクリーンである。
【００６３】
第１光学形状層３２及び第２光学形状層３４は、前述の第１実施形態の第１光学形状層１２及び第２光学形状層１４と同様の形状を有しているが、その材料等が第１実施形態の第１光学形状層１２及び第２光学形状層１４とは異なる。
第１光学形状層３２及び第２光学形状層３４は、光透過性が高く、一般的な紫外線硬化型樹脂よりも屈折率の高い紫外線硬化型樹脂（例えば、エポキシアクリレート系の紫外線硬化型樹脂や、金属酸化物が添加されて高屈折率化されたウレタン系等の紫外線硬化型樹脂、酸化チタン（ＴｉＯ２）が添加されて高屈折率化された紫外線硬化型樹脂）を用いて形成されている。
第１光学形状層３２及び第２光学形状層３４は、電子線硬化型樹脂等の他の電離放射線硬化型樹脂により形成してもよい。
この第１光学形状層３２及び第２光学形状層３４は、屈折率が約１．５６〜１．７程度であることが好ましい。
【００６４】
低屈折率層３３は、光透過性を有し、隣接する第１光学形状層３２及び第２光学形状層３４よりも屈折率が低い層である。
低屈折率層３３は、単位光学形状３２１上（第１斜面３２１ａ及び第２斜面３２１ｂ上）に形成されており、第１斜面３２１ａ上に形成された第１低屈折率部３３１と、第２斜面３２１ｂ上に形成された第２低屈折率部３３２とを有している。第２低屈折率部３３２と第２光学形状層３４との界面Ｋが、映像光の少なくとも一部を全反射する全反射面となる。
低屈折率層３３は、単位光学形状３２１に形成された微細かつ不規則な凹凸形状に追従して形成され、その両面に、微細かつ不規則な凹凸形状を有している。また、低屈折率層３３は、界面Ｋで映像光が十分全反射でき、かつ、全反射する際に干渉を生じない程度の厚さを有している。
【００６５】
低屈折率層３３に臨界角以上の入射角で入射する光は、この微細かつ不規則な凹凸形状により、全反射する際に拡散される。また、低屈折率層３３に臨界角未満の入射角で入射する光は、拡散しないで透過する。
低屈折率層３３は、光透過性が高く、隣接する第１光学形状層３２及び第２光学形状層３４よりも屈折率の低い材料（例えば、フッ化マグネシウムやフッ化アルミニウム等の金属フッ化物、酸化ケイ素、シリコン系樹脂）を蒸着したり、スパッタリングしたりすることにより、形成される。
低屈折率層３３の屈折率は、約１．３５〜１．４５であることが、第２光学形状層１４と第２低屈折率部３３２との界面Ｋで映像光を効率よく全反射させる観点から好ましい。
【００６６】
図９に示すように、映像源ＬＳから投射されて入光側（−Ｚ側）からスクリーン３０に入射した映像光Ｌａは、単位光学形状３２１の第１斜面３２１ａに入射する。
このとき、映像光Ｌａの第１斜面３２１ａへの入射角は臨界角未満であるので、多くの映像光Ｌａが第１低屈折率部３３１を透過する。なお、一部の映像光Ｌｃは反射するが、その光量は小さく、映像源側に位置する観察者Ｏ１が映像を視認することはない。
また、第１斜面３２１ａの谷底となる点ｖに近い領域Ｂに入射し、第１低屈折率部３３１を透過して第２光学形状層３４へ入射した映像光Ｌａの少なくとも一部は、第２低屈折率部３３２と第２光学形状層３４との界面Ｋに、臨界角以上の入射角で入射して全反射し、スクリーン３０の背面側の正面方向に位置する観察者Ｏ２が映像を視認可能な方向に出射する。このとき、低屈折率層３３の表面の微細かつ不規則な凹凸形状によって、全反射した光の多くは拡散される（図９の映像光Ｌｂ参照）。これにより、観察者Ｏ２は、良好な視野角を有する映像を視認できる。
【００６７】
なお、領域Ｂに入射して第１低屈折率部３３１を透過した映像光Ｌａが、界面Ｋで反射し、観察者Ｏ２側へ出射するためには、第２斜面３２１ｂ（第２低屈折率部３３２）は、スクリーン面に直交する方向に対してなす角度φが、０°＜φ＜２×（θ１）であることが好ましく、φがθ１に略等しい（等しいとみなせる程度の誤差を有する状態）ことがより好ましく、φがθ１に等しいことがさらに好ましい。
単位光学形状３２１の配列方向に沿って点Ｃから離れるにつれて、角度θ２は、次第に小さくなり、この角度φは、次第に大きくなっている。
【００６８】
この角度φが０°である場合、界面Ｋに入射する映像光は、その入射角が臨界角未満となり、界面Ｋで全反射しないため、背面側へ映像光を向けることができない。
また、角度φが２×（θ１）以上である場合、界面Ｋ２で全反射した映像光は、スクリーン１０の背面側上方へ向かい、スクリーン１０の背面側の正面方向に位置する観察者Ｏ２に届かない。したがって、角度φは、上述の範囲であることが好ましい。
また、角度φが角度θ１に近くなるにつれ、単位光学形状１２１の頂角θ３は９０°に近くなり、角度φが角度θ１に等しいとき、頂角θ３は９０°に等しい。この頂角θ３＝９０°のとき、領域Ｂは、点ｖから第１斜面３２１ａに沿って頂点ｔ側へ寸法Ｓ１＝Ｐｓｉｎ（θ１）ｔａｎ（θ１）の領域となる。
【００６９】
また、映像光の一部Ｌｄは、第１低屈折率部３３１を透過して、界面Ｋで全反射することなく、スクリーン内を背面側上方へ向かう。そして、このような映像光Ｌｄは、抜け光抑制層１５を備えない場合には、スクリーン３０から背面側上方へ出射して、天井への映像の映り込みを招く。この天井への映像の映り込みは、背面側に位置する観察者Ｏ２にとって不快であり、良好な映像の視認の妨げにもなる。
しかし、本実施形態によれば、スクリーン３０は、抜け光抑制層１５の光吸収部１５４によって、このような映像光Ｌｄを吸収して天井への映像の映り込みを効果的に抑制でき、意匠性の向上に加え、観察者が快適に映像を視認できるという効果を奏する。
また、本実施形態によれば、低屈折率層３３は、光透過性を有しているので、高い透明性を有しながら、映像を表示できる。
【００７０】
（変形形態）
以上説明した各実施形態に限定されることなく、種々の変形や変更が可能であって、それらも本発明の範囲内である。
（１）各実施形態において、スクリーン１０，２０，３０の映像源側（＋Ｚ側）の表面に、傷つき防止を目的としたハードコート層を設けてもよい。ハードコート層は、例えば、スクリーン１０，２０，３０の映像源側の面に、ハードコート機能を有する紫外線硬化型樹脂（例えば、ウレタンアクリレート等）を塗布する等により、形成される。
また、ハードコート層に限らず、スクリーン１０，２０，３０の使用環境や使用目的等に応じて、スクリーン１０，２０，３０の映像源側の表面に、例えば、反射防止機能、紫外線吸収機能、防汚機能、帯電防止機能等、適宜必要な機能を有する層を１つ又は複数選択して設けてもよい。さらに、基材層１１の映像源側にタッチパネル層等を設けてもよい。
【００７１】
特に、スクリーン１０，２０，３０の映像源側の表面に反射防止層を設けた場合には、反射層１３で反射した映像光が、映像源側の空気との界面で反射して、背面側から出射して背面側に映像が漏れたように表示されることを防止できる。
なお、スクリーン１０，２０，３０の映像源側（＋Ｚ側）の面に限らず、背面側（−Ｚ側）の表面にハードコート機能や反射防止機能等を有する層を備えてもよい。
【００７２】
（２）各実施形態において、スクリーン１０，２０，３０は、背面側（−Ｚ側）に位置する抜け光抑制層１５，２５が接合層５１を介して支持板５０に一体に接合される形態を示したが、これに限らず、例えば、映像源側（＋Ｚ側）に位置する基材層１１が接合層５１を介して支持板５０に接合される形態としてもよい。
このように、スクリーン１０，２０，３０の背面側が露出する形態とする場合、抜け光抑制層１５，２５よりも背面側に、ハードコート機能や反射防止機能、紫外線吸収機能、防汚機能、帯電防止機能等、適宜必要な機能を有する層を１つ又は複数設けてもよい。
【００７３】
（３）各実施形態において、スクリーン１０，２０，３０は、第１光学形状層１２が十分な厚みや剛性等を有している場合には、基材層１１を備えない形態としてもよい。
また、スクリーン１０，２０，３０は、基材層１１を、ガラス板等の光透過性を有する板状の部材としてもよい。このとき、粘着剤層等を介して第１光学形状層１２等がガラス板等に接合される形態としてもよい。
【００７４】
（４）第１実施形態及び第２実施形態において、反射層１３の表面（単位光学形状１２１の表面）の微細な凹凸形状は、その大きさや形状、配列等が不規則である例を示したが、大きさや形状、配列のいずれかが規則性を有していてもよい。
なお、第３実施形態の低屈折率層３３の表面の凹凸形状に関しても同様である。
【００７５】
（５）各実施形態において、映像源ＬＳは、スクリーン１０，２０，３０の画面左右方向の中央であって画面外の下方に位置する例を挙げて説明したが、これに限らず、例えば、スクリーン１０，２０，３０の斜め下側等に配置され、スクリーン１０，２０，３０に対して画面左右方向において斜め方向光から映像光を投射する形態としてもよい。
この場合、単位光学形状１２１，３２１の配列方向は、映像源ＬＳの位置に合わせて傾けた形態とする。このような形態とすることにより、映像源ＬＳの位置等を自由に設定することができる。
【００７６】
（６）各実施形態において、単位光学形状１２１，３２１は、第１斜面１２１ａ，３２１ａ及び第２斜面１２１ｂ，３２１ｂが平面により形成される例を示したが、これに限らず、例えば、曲面と平面とが組み合わされた形態としてもよいし、折れ面状としてもよい。
また、単位光学形状１２１，３２１は、３つ以上の複数の面によって形成される多角形形状としてもよい。
また、反射層１３は、単位光学形状１２１の第１斜面１２１ａ及び第２斜面１２１ｂに形成される例を示したが、これに限らず、例えば、第１斜面１２１ａの少なくとも一部に形成される形態としてもよい。
また、第１斜面１２１ａ，３２１ａ及び第２斜面１２１ｂ，３２１ｂは、微細かつ不規則な凹凸形状が形成されている例を示したが、これに限らず、第１斜面１２１ａ，３２１ａにのみ微細かつ不規則な凹凸形状が形成されている形態としてもよい。
【００７７】
（７）各実施形態において、映像源ＬＳは、例えば、Ｐ波の偏光成分を有する映像光を投射するものとしてもよい。
このとき、映像源ＬＳは、映像光が入射角φでスクリーン１０，２０，３０へ投射されるように位置及び角度が設定されている。この入射角φは、スクリーン１０，２０，３０へ投射された映像光（Ｐ波）の反射率がゼロとなる入射角（ブリュースター角）をφｂ（°）とした場合、（φｂ−１０）°以上８５°以下の範囲に設定される。例えば、スクリーン１０へ投射された映像光の反射率がゼロとなる入射角φｂが６０°である場合、映像光の入射角φは、５０〜８５°の範囲に設定される。
【００７８】
このように、Ｐ波の偏光成分を有する映像光を投射する映像源ＬＳを用いることにより、スクリーン１０，２０，３０への入射角φが大きい場合にも、スクリーン１０，２０，３０の表面における鏡面反射を抑制することができ、映像源ＬＳの設置位置等、投射系の設計の自由度を上げることができる。また、このような映像源ＬＳを用いることにより、スクリーン１０，２０，３０に入射する際にスクリーン表面での映像光の反射を低減でき、映像の明るさ、鮮明さの向上を図ることができる。
なお、角度φｂ（ブリュースター角）は、映像光が投射されるスクリーン１０の表面の材質により異なる。
また、このような形態の場合、基材層１１としては、ＴＡＣ製のシート状の部材が好適である。
【００７９】
（８）各実施形態において、映像表示装置１は、室内用のパーテーションに配置される例を示したが、これに限らず、例えば、展示会等における映像表示や、店舗等のショーウィンドウ等にも適用できる。また、スクリーン１０，２０，３０をフロントガラスに貼り合わせる等し、映像表示装置１を自動車のヘッドアップディスプレイ（ＨＵＤ：ＨＥＡＤ−Ｕｐ  Ｄｉｓｐｌａｙ）に適用してもよいし、自動車以外の乗り物に適用してもよい。
【００８０】
なお、本実施形態及び変形形態は、適宜組み合わせて用いることもできるが、詳細な説明は省略する。また、本発明は以上説明した各実施形態によって限定されることはない。
【符号の説明】
【００８１】
１    映像表示装置
１０，２０，３０    スクリーン
１１    基材層
１２，３２    第１光学形状層
１２１，３２１    単位光学形状
１２１ａ，３２１ａ    第１斜面
１２１ｂ，３２１ｂ    第２斜面
１３    反射層
１４，３４    第２光学形状層
１５    抜け光抑制層
１５１    基材部
１５２    光制御部
１５３    光透過部
１５４    光吸収部
２５    抜け光抑制層
３３    低屈折率層
【図１】
0006717051.tif 000002
【図２】
0006717051.tif 000003
【図３】
0006717051.tif 000004
【図４】
0006717051.tif 000005
【図５】
0006717051.tif 000006
【図６】
0006717051.tif 000007
【図７】
0006717051.tif 000008
【図８】
0006717051.tif 000009
【図９】
0006717051.tif 000010